(57)【要約】【課題】食器又は調理器の洗浄及び補助具に関する其の他の作業を容易にする衛生的な補助具を提供することであり、其の他の作業とは市販野菜調理器、擂り鉢、裏漉し器を用いた作業である。【解決手段】食器及び調理器の補助具１であって、略鉛直方向に開口部１１１が向けられた略円筒形状の胴体部１１と、この胴体部の上端に設けられ、食器又は調理器が載置される略円環状の上縁部１２と、胴体部の下端に設けられる略円環状の下縁部１３とを備えた。この下縁部１３には、胴体部１１の内部と胴体部１１の外部とを連通する切欠部１３１を設けた。切欠部１３１は食器洗浄に於ける水を排出する。【選択図】図１
0003126584.tif 000002
【実用新案登録請求の範囲】
【請求項１】
食器及び調理器の補助具であって、
略鉛直方向に開口部が向けられた略円筒形状の胴体部と、
この胴体部の上端に設けられ、食器又は調理器が載置される略円環状の上縁部と、
前記胴体部の下端に設けられる略円環状の下縁部とを備え、
前記下縁部には、前記胴体部の内部と前記胴体部の外部とを連通する切欠部が設けられることを特徴とする食器又は調理器の補助具。
【請求項２】
前記下縁部と前記上縁部とは、略同一円心上に形成され、
前記下縁部の外径は、前記上縁部の外径より大きい外径で形成されることを特徴とする請求項１に記載の食器又は調理器の補助具。
【請求項３】
前記下縁部及び前記上縁部は、ゴム状体で形成されることを特徴とする請求項１又は２に記載の食器又は調理器の補助具。
【請求項４】
前記胴体部、前記上縁部、及び前記下縁部は、弾性体により一体構造で形成されることを特徴とする請求項１又は２に記載の食器又は調理器の補助具。
【考案の詳細な説明】
【技術分野】
【０００１】
本考案は、食器又は調理器の補助具に関する。
【背景技術】
【０００２】
従来より、一般家庭の流し台において、外径の大きい食器又は調理器を洗浄する場合には、この食器又は調理器の一端を片方の手で掴み上げ、この食器又は調理器の他端を流し台のシンクの底に支持させて、他方の手でこの食器を擦る。
【０００３】
ところが、通常の流し台のシンクは、水の飛散を防止するために、所定の深さで形成されているので、流し台が設置された床からシンクの底までの高さが低くなる。このため、食器又は調理器の洗浄を行う者は、中腰でこの洗浄を行わなければならず、肉体的な苦痛を感じていた。
【０００４】
そこで、シンクの底に設置され、食器又は調理器が載置される筒体形状を有する食器支持具が提案されている（特許文献１参照）。
この食器支持具によれば、この食器支持具をシンクの底に設置し、この食器支持具の上端部に食器又は調理器を載置して、食器又は調理器を洗浄できるので、この食器支持具の高さ分だけ、食器又は調理器と手の距離が近くなり、食器又は調理器の洗浄が容易になる。
【特許文献１】実開平７−３３２４２号公報
【考案の開示】
【考案が解決しようとする課題】
【０００５】
しかしながら、このような食器支持具で食器又は調理器の洗浄を行った場合、食器又は調理器の洗浄に用いた水に、この食器又は調理器の洗浄に用いた洗剤が混入し汚水となって、この食器支持具の内部に溜まり、やがて、食器又は調理器を載置した上端部からこの汚水が溢れだし、この汚水が洗浄している食器等に付着し、衛生上好ましくなかった。
本考案の目的は、食器又は調理器の洗浄を容易にする衛生的な食器又は調理器の補助具を提供することである。
【課題を解決するための手段】
【０００６】
本考案では、以下のようなものを提供する。
【０００７】
（１）  食器及び調理器の補助具であって、略鉛直方向に開口部が向けられた略円筒形状の胴体部と、この胴体部の上端に設けられ、食器又は調理器が載置される略円環状の上縁部と、前記胴体部の下端に設けられる略円環状の下縁部とを備え、前記下縁部には、前記胴体部の内部と前記胴体部の外部とを連通する切欠部が設けられることを特徴とする食器又は調理器の補助具。
【０００８】
（１）の考案によれば、食器及び調理器の補助具を略鉛直方向に開口部が向けられた略円筒形状の胴体部と、この胴体部の上端に設けられ、食器又は調理器が載置される略円環状の上縁部と、この胴体部の下端に設けられる略円環状の下縁部とで構成し、この下縁部に、胴体部の内部と胴体部の外部とを連通する切欠部を設けた。
よって、この食器又は調理器の補助具を用いて食器又は調理器を洗浄する手順は、以下のようになる。
まず、補助具を流し台のシンクの底及び両側の準備スペースに設置し、例えば、汚れの付着した食器の外縁の一部を手で掴み、この一部と対向する部分の食器の外縁を補助具の円環状の上縁部に載置する。すると、この食器の外縁と補助具の上縁部とは、２か所で接触する。すなわち、この食器を、手で掴んだ部分と、補助具の上縁部と接触させた２か所の部分とで支持する。次に、この食器に洗剤を塗布し、この食器に付着した汚れを擦り落とし、流し台の水栓から水を出し、洗剤や汚れを洗い流す。この水に洗剤や汚れが混入した汚水は、補助具の内部に流れ込み、補助具の内部に流れ込んだ汚水は、補助具の下縁部に設けた切欠部を通って、補助具の外部に流出する。
よって、たとえ流し台のシンクの底が低い位置にあったとしても、汚れの付着した食器を補助具の高さの分だけ高い位置で支持することで、腰を曲げることなく、この食器を洗浄できる。また、切欠部を設けたことで、補助具の内部に流れ込んだ汚水を、補助具の外部に排出できるので、補助具の内部に汚水が溜まり、食器等を載置した上縁部から汚水が溢れ出ることを防止できる。
したがって、食器又は調理器の洗浄を容易する衛生的な食器又は調理器の補助具を提供できる。
【０００９】
また、洗浄後の水滴が付着した食器等を、この補助具の上縁部に載置すると、この補助具を洗浄後の食器等の水切りとして用いることができる。そして、この水切りした食器等に僅かに残った水滴を布巾で拭き取る。このように、この補助具を用いることで、食器等の洗浄から拭き仕上げまでの作業が一貫作業となり敏速且つ容易にできるので、この作業に伴う肉体的、精神的疲労を軽減できる。また、この補助具を洗浄後の食器等の水切りとして用いたとき、食器等に付着した水滴が補助具の内部に流れ落ちても、この流れ落ちた水滴を補助具の下縁部に設けた切欠部を介して、補助具の外部に排出できる。
したがって、食器等の洗浄から拭き仕上げまでの作業に伴う肉体的、精神的疲労を軽減できるとともに、補助具の内部に湿気が滞留することを防止し、雑菌の発生を防止できるので、補助具を衛生的な水切りとして用いることができる。
【００１０】
また、調理中には、火にかけた鍋の蓋をはずし、冷めてから一時的に調理台等に載置する場合がある。このとき、この鍋の蓋を直接調理台等に載置すると、衛生的に好ましくない。そこで、この鍋からはずした鍋の蓋を、この補助具の上縁部に載置すると、鍋の蓋が調理台等に直接触れることがないので、衛生的である。さらに、このような火にかけた鍋からはずされた鍋の蓋には水滴が付着しているが、この付着した水滴が鍋の蓋から補助具の内部に流れ落ちても、この流れ落ちた水滴を補助具の下縁部に設けた切欠部を介して、補助具の外部に排出できる。
したがって、補助具の内部に湿気が滞留することを防止し、雑菌の発生を防止できるので、より衛生的な鍋の蓋置きとして用いることができる。
【００１１】
また、従来より、おろし器と、このおろし器の外縁と係合し、このおろし器によりおろした食材を収容する収容器とから成る市販野菜調理器セットがある。この市販野菜調理器セットによれば、食材をおろし器に押圧し、この食材を前後にスライドすることで、おろし器によりおろした食材が、おろし器に形成された孔を通して、おろし器の下方に設置された収容器に収容される。
しかしながら、このような市販野菜調理器セットでは、収容器の容量が限られたものであり、この収容器の容量以上に、食材を摺りおろすことができず、例えば、多数の人数分の食事を用意している場合には、収容器を満たした食材を別の容器に移すという作業が、何度も発生することとなり、調理の効率を下げていた。
【００１２】
そこで、本願考案に係る補助具を、用途に応じた容量の容器の上に設置する。例えば、多数の人数分の食事を用意している場合には、この補助具を、容量の大きい容器の上に設置する。そして、この補助具の上縁部におろし器を載置し、食材をおろし器に押圧し、この食材を前後にスライドすることで、おろし器によりおろした食材が、おろし器に形成された孔を通して、おろし器の下方に落下し、補助具を設置した容量の大きい容器の上に堆積する。
したがって、所望の量の食材を摺りおろすまで、食材を摺りおろすという作業を続けることができるので、調理の効率が下がることを防止できる。
【００１３】
さらに、例えば、市販野菜調理器セットの収容器が壊れた場合、おろし器だけ残ることとなるが、このような市販野菜調理器セットは、製造元が異なったり、製造時期が異なると、新たに購入した容器と上記の残ったおろし器とが係合しない場合もある。この場合、おろし器が安定しないため、食材を摺りおろすのが困難になる場合がある。
【００１４】
上記のような場合でも、本願考案に係る補助具の上縁部に上記の残ったおろし器を載置すると、この残ったおろし器を用いて食材を摺りおろすことができる。
したがって、本考案の補助具は、おろし器が各メーカーの独自のものでも新旧を問わず、また古来のおろし器具でも共用可能である。
【００１５】
また、食材を集積する容器を本願考案に係る補助具の内部に収容し、この補助具の上縁部に裏漉し器を載置し、この裏腰器の上面に食材を載せ、ヘラ等で押圧することで、裏漉しされた食材が、裏漉し器を介して落下し、容器の下に堆積する。この後、例えば、この堆積した食材により補助具の内部が満たされたとしても、補助具を持ち上げ、この補助具の内部に収容した容器を交換するだけで、食材を裏漉しするという作業を続けることができる。
したがって、所望の量の食材を裏漉しするまで、食材を裏漉しするという作業を続けることができるので、調理の効率が下がることを防止できる。
【００１６】
上記のように、補助具の下縁部に切欠部を設けたことで、１つの補助具をもって、多様で衛生的な食器又は調理器の補助具を提供できる。
【００１７】
さらに、例えば、大容量の食器等は、重量も重くなり、片手で持ち上げながら洗浄するのが困難である。一方、このような食器等をシンクに接触させたまま洗浄すると、食器等の汚れを落とすために、食器等を擦ると、食器等が振動し、食器等とシンクとの接触部分において、これらが互いに被傷したり、塗装の剥離を生ずることとなる。
しかしながら、この食器等とシンクの間に、本願考案に係る補助具を介在させることで、食器等の洗浄時において、食器等とシンクとが互いに被傷したり、塗装の剥離を生ずることを防止できる。また、食器等の洗浄時において、食器等を補助具に固定せずに、食器等の一部を補助具の上縁部に載置しているだけなので、洗浄の作業に応じて、食器等を補助具の上縁部で回転移動させたり、横移動させたりできる。さらに、上縁部を円環状に形成したので、この上縁部に載置した食器等の２か所の部分で支持できるので、１か所の部分で支持した場合に比べて、食器等を安定して移動できる。また、補助具の上縁部に食器を水平に載置することにより、補助具の上縁部がこの載置した食器と全面接触することとなり一層安定させることができる。
【００１８】
（２）  前記下縁部と前記上縁部とは、略同一円心上に形成され、前記下縁部の外径は、前記上縁部の外径より大きい外径で形成されることを特徴とする請求項１に記載の食器又は調理器の補助具。
【００１９】
（２）の考案によれば、胴体部の形状を略鉛直方向の断面形状を略八の字状に形成できるので、補助具の外径より大きい外径で形成された食器や調理器を、安定して補助具の上縁部に載置できる。
例えば、調理台に擂り鉢を設置し、この擂り鉢に食材を入れ、この食材を摺り子木を用いて擂り潰す場合、擂り鉢の略鉛直方向の断面形状は、略逆八の字状なので、この擂り鉢の内部で摺り子木を回転させると擂り鉢自体が振動する。このように擂り鉢が振動すると、食材の擂り潰し作業の効率が落ちるとともに、この振動により、擂り鉢と調理台との接触部分において、これらが互いに被傷したり、塗装の剥離を生ずることとなる。
そこで、本願考案に係る補助具の上縁部に擂り鉢を載置すると、この上縁部全体と擂り鉢の外周が密接し一体となって安定した形態を形成する。よって、擂り鉢の内部で摺り子木を回転させても擂り鉢自体の振動を抑えることができるので、食材の擂り潰し作業の効率が落ちることを防止できる。さらに、擂り鉢の内部で摺り子木を回転させたことにより、僅かに擂り鉢自体が振動しても、補助具によりこの振動を吸収できるので、擂り鉢と調理台との接触部分において、これらが互いに被傷したり、塗装の剥離を生ずる場合がある。
【００２０】
（３）  前記下縁部及び前記上縁部は、ゴム状体で形成されることを特徴とする請求項１又は２に記載の食器又は調理器の補助具。
【００２１】
（３）の考案によれば、上縁部と食器や調理器具と補助具とが辷るのを防止できる。よって、補助具の上縁部に食器や調理器具を載置し、例えば、この食器等の洗浄中に、食器等が上縁部から辷り、床等に落下して破損することを防止できる。
また、下縁部をゴム状体で形成したので、例えば、補助具を調理台に設置したときに、補助具と調理台とが辷るのを防止できる。よって、食器や調理器具に力を加えたときに、補助具が辷り、この力が逃げることがないので、洗浄や調理の作業の効率を向上できる。
【００２２】
（４）  前記胴体部、前記上縁部、及び前記下縁部は、弾性体により一体構造で形成されることを特徴とする請求項１又は２に記載の食器又は調理器の補助具。
【００２３】
（４）の考案によれば、胴体部、上縁部、及び下縁部を弾性体により一体構造で形成したので、食器や調理器具に加えられた力によって発生する、この食器や調理器具の振動を補助具全体で吸収できるので、食器や調理器具の振動により、洗浄や調理の作業の効率が下がることを防止できる。
また、補助具を弾性体で形成したので、上縁部に載置した食器や調理器具、又はこの補助具が設置された調理台等が、この補助具と接触して被傷したり、塗装の剥離を生ずることを防止できる。さらに、この補助具を落下等させて、衝撃を与えたとしても、この補助具の破損を防止できる。
【考案の効果】
【００２４】
本願考案によれば、流し台のシンクの底が低い位置にあったとしても、汚れの付着した食器を補助具の高さの分だけ高い位置で支持することで、腰を曲げることなく、この食器を洗浄できる。また、切欠部を設けたことで、補助具の内部に流れ込んだ汚水を、補助具の外部に排出できるので、補助具の内部に汚水が溜まり、食器等を載置した上縁部から汚水が溢れ出ることを防止できる。
したがって、食器又は調理器の洗浄を容易する衛生的な食器又は調理器の補助具を提供できる。
【考案を実施するための最良の形態】
【００２５】
＜第１実施形態＞
図１は、本考案の第１実施形態に係る補助具１の斜視図である。
補助具１は、略鉛直方向に開口部１１１が向けられた略円筒形状の胴体部１１と、この胴体部の上端に設けられ、食器又は調理器が載置される略円環状の上縁部１２と、胴体部１１の下端に設けられる略円環状の下縁部１３とを備えている。
【００２６】
下縁部１３には、胴体部１１の内部と胴体部１１の外部とを連通する略半円状の切欠部１３１が３か所設けられている。
【００２７】
この補助具１は、胴体部１１と、上縁部１２と、下縁部１３とが、弾性体により一体構造で形成されている。この弾性体には、ゴム、合成樹脂等が用いられる。
【００２８】
図２は、本考案の第１実施形態に係る補助具１の側面図である。
胴体部１１は、中空状の円錐台形で形成されている。
下縁部１３と上縁部１２とは、略同一円心上に形成され、下縁部１３の外径は、上縁部１２の外径より大きい外径で形成されている。
【００２９】
図３は、補助具１を用いて食器１００を洗浄する手順を説明する図である。
次に、補助具１を用いて食器１００を洗浄する手順について説明する。
まず、補助具１を流し台５０のシンク５１の底５１１に設置し、例えば、汚れの付着した食器１００の外縁の一部を手で掴み、この一部と対向する部分の食器の外縁を補助具１の円環状の上縁部１２に載置する。すると、この食器１００の外縁と補助具１の上縁部１２とは、２か所で接触する。次に、この食器１００に洗剤を塗布し、この食器１００に付着した汚れを擦り落とし、流し台５０の水栓５２から水を出し、洗剤や汚れを洗い流す。この水に洗剤や汚れが混入した汚水は、補助具１の内部に流れ込み、補助具１の内部に流れ込んだ汚水は、補助具１の下縁部１３に設けた切欠部１３１を通って、補助具１の外部に流出する。
【００３０】
本実施形態によれば、以下のような効果がある。
（１）流し台５０のシンク５１の底５１１が低い位置にあったとしても、汚れの付着した食器１００を補助具１の高さの分だけ高い位置で支持することで、腰を曲げることなく、この食器１００を洗浄できる。また、切欠部１３１を設けたことで、補助具１の内部に流れ込んだ汚水を、補助具１の外部に排出できるので、補助具１の内部に汚水が溜まり、食器１００を載置した上縁部１２から汚水が溢れ出ることを防止できる。
したがって、食器又は調理器の洗浄を容易する衛生的な食器又は調理器の補助具を提供できる。
【００３１】
さらに、例えば、大容量の食器等は、重量も重くなり、片手で持ち上げながら洗浄するのが困難である。一方、このような食器等をシンク５１に接触させたまま洗浄すると、食器等の汚れを落とすために、食器等を擦ると、食器等が振動し、食器等とシンク５１との接触部分において、これらが互いに被傷したり、塗装の剥離を生ずることとなる。
しかしながら、この食器等とシンク５１の間に、補助具１を介在させることで、食器等の洗浄時において、食器等とシンク５１とが互いに被傷したり、塗装の剥離を生ずることを防止できる。また、食器等の洗浄時において、食器等を補助具１に固定せずに、食器等の一部を補助具１の上縁部１２に載置しているだけなので、洗浄の作業に応じて、食器等を補助具１の上縁部１２で回転移動させたり、横移動させたりできる。さらに、上縁部１２を円環状に形成したので、この上縁部１２に載置した食器等の２か所の部分で支持できるので、１か所の部分で支持した場合に比べて、食器等を安定して移動できる。
【００３２】
（２）胴体部１１の形状を略鉛直方向の断面形状を略八の字状に形成できるので、補助具１の外径より大きい外径で形成された食器や調理器を、安定して補助具１の上縁部１２に載置できる。
【００３３】
（４）胴体部１１、上縁部１２、及び下縁部１３を弾性体により一体構造で形成したので、食器や調理器具に加えられた力によって発生する、この食器や調理器具の振動を補助具１全体で吸収できるので、食器や調理器具の振動による、洗浄や調理の作業の効率が下がることを防止できる。
また、補助具１を弾性体で形成したので、上縁部１２に載置した食器や調理器具、又はこの補助具１が設置された調理台等が、この補助具１と接触して被傷したり、塗装の剥離を生ずることを防止できる。さらに、この補助具１を落下等させて、衝撃を与えたとしても、この補助具１の破損を防止できる。
【００３４】
＜第１実施形態の変形例＞
以下の第１実施形態の変形例の説明にあたって、第１実施形態と同一構成要件については同一符号を付し、その説明を省略もしくは簡略化する。
図４は、本考案の第１実施形態の変形例に係る補助具１の使用状態を示す斜視図である。
第１実施形態の変形例では、補助具１の上縁部１２に釜１０６の側壁が接するように載置されている点が、第１実施形態と異なる。
【００３５】
これにより、釜のように重量が重いものは、片手で持ち上げながら作業するのが困難である。しかしながら、補助具１の上縁部１２に釜１０６の側壁が常に接するように載置して作業することで、釜１０６の重量を全く感受しないで作業できる。
したがって、作業中に釜１０６を潰落破損することを防止できるとともに、作業に伴う疲労を軽減できる。
また、釜１０６と、例えば、流し台のシンクとの間に補助具１を介在させることで、釜１０６を用いた作業時において、釜１０６とシンクとが互いに被傷したり、防錆塗装の剥離を生ずることを防止できる。
【００３６】
＜第２実施形態＞
以下の第２実施形態の説明にあたって、第１実施形態と同一構成要件については同一符号を付し、その説明を省略もしくは簡略化する。
図５は、本考案の第２実施形態に係る補助具１の使用状態を示す斜視図である。
第２実施形態では、洗浄後の水滴が付着した食器１０５を、この補助具１の上縁部１２に載置すると、この補助具１を洗浄後の食器１０５の水切りとして用いる点が、第１実施形態と異なる。
【００３７】
これにより、食器１０５に付着した水滴が補助具１の内部に流れ落ちても、この流れ落ちた水滴を補助具１の下縁部１３に設けた切欠部１３１を介して、補助具の外部に排出できる。
したがって、補助具１の内部に湿気が滞留することを防止し、雑菌の発生を防止できるので、補助具１を衛生的な水切りとして用いることができる。
【００３８】
＜第３実施形態＞
以下の第３実施形態の説明にあたって、第１実施形態と同一構成要件については同一符号を付し、その説明を省略もしくは簡略化する。
図６は、本考案の第３実施形態に係る補助具１の使用状態を示す斜視図である。
第３実施形態では、補助具１の上縁部１２に鍋の蓋１０４が伏せた状態で載置されている点が、第１実施形態と異なる。
【００３９】
例えば、調理中には、火にかけた鍋の蓋１０４をはずし、一時的に調理台等に載置する場合がある。このとき、この鍋の蓋１０４を直接調理台等に載置すると、衛生的に好ましくない。
そこで、この鍋からはずした鍋の蓋１０４を、この補助具１の上縁部１２に載置すると、鍋の蓋１０４が調理台等に直接触れることがないので、衛生的である。また、補助具１を合成樹脂で形成した場合は、鍋からはずした鍋の蓋１０４を、冷ましてから、この補助具１の上縁部１２に載置することで、鍋の蓋１０４の熱により補助具１が変形することを防止できる。さらに、このような火にかけた鍋からはずされた鍋の蓋１０４には水滴が付着しているが、この付着した水滴が鍋の蓋１０４から補助具１の内部に流れ落ちても、この流れ落ちた水滴を補助具１の下縁部１３に設けた切欠部１３１を介して、補助具１の外部に排出できる。
したがって、補助具の内部に湿気が滞留することを防止し、雑菌の発生を防止できるので、より衛生的な鍋の蓋置きとして用いることができる。
【００４０】
＜第４実施形態＞
以下の第４実施形態の説明にあたって、第１実施形態と同一構成要件については同一符号を付し、その説明を省略もしくは簡略化する。
図７は、本考案の第４実施形態に係る補助具１の使用状態を示す斜視図である。
第４実施形態では、まな板１０２の上面に補助具１が設置され、補助具１の上縁部１２におろし器１０１が載置されている点が、第１実施形態と異なる。
【００４１】
これにより、補助具１をまな板１０２の上に設置し、補助具１の上縁部１２におろし器１０１を載置し、食材をおろし器１０１に押圧し、この食材を前後にスライドすることで、おろし器１０１によりおろした食材が、おろし器１０１に形成された孔を通して、おろし器１０１の下方に落下し、補助具１を設置したまな板１０２の上に堆積する。
したがって、市販野菜調理器セットに付属する容量が限られた収容器に食材を摺りおろす場合と異なり、直接まな板１０２に上に摺りおろした食材を堆積させているので、所望の量の食材を摺りおろすまで、食材を摺りおろすという作業を続けることができ、調理の効率が下がることを防止できる。
【００４２】
なお、第４実施形態では、補助具１の上縁部１２におろし器１０１を載置したが、おろし器１０１の形態は特定の形態に限定されない。
また、第４実施形態では、補助具１の上縁部１２におろし器１０１を載置したが、これに限らず、補助具１の上縁部１２に裏漉し器を載置してもよい。
【００４３】
＜第５実施形態＞
以下の第５実施形態の説明にあたって、第１実施形態と同一構成要件については同一符号を付し、その説明を省略もしくは簡略化する。
図８は、本考案の第５実施形態に係る補助具１の使用状態を示す斜視図である。
第５実施形態では、補助具１の上縁部１２全体と擂り鉢１０３の外周が密接するように載置されている点が、第１実施形態と異なる。
【００４４】
これにより、補助具１の上縁部１２に擂り鉢１０３を載置したので、この上縁部１２全体と擂り鉢１０３の外周が密接し一体となって安定した形態を形成する。よって、擂り鉢１０３の内部で摺り子木を回転させても擂り鉢１０３自体の振動を抑えることができるので、食材の擂り潰し作業の効率が落ちることを防止できる。さらに、擂り鉢１０３の内部で摺り子木を回転させたことにより、僅かに擂り鉢１０３自体が振動しても、補助具１によりこの振動を吸収できるので、擂り鉢１０３と調理台との接触部分において、これらが互いに被傷したり、塗装の剥離を生ずることを防止できる。
【００４５】
＜第６実施形態＞
以下の第６実施形態の説明にあたって、第１実施形態と同一構成要件については同一符号を付し、その説明を省略もしくは簡略化する。
図９は、本考案の第６実施形態に係る補助具２の断面図である。
第６実施形態では、下縁部及び上縁部のみがゴム状体で形成されている点が、第１実施形態と異なる。
【００４６】
補助具２は、略鉛直方向に開口部２２２が向けられた中空体で、略鉛直方向の断面形状を略八の字状に形成された胴体部２１と、胴体部２１の上端に設けられ食器又は調理器が載置される略円環状の上縁部２２と、胴体部２１の下端に設けられる略円環状の下縁部２３とを備えている。上縁部２２及び下縁部２３は、ゴム状体で形成されている。
【００４７】
下縁部２３には、胴体部２１の内部と胴体部２１の外部とを連通する略半円状の切欠部２３１が３か所設けられている。
【００４８】
これにより、上縁部２２と食器や調理器具と補助具２とが辷るのを防止できる。よって、補助具２の上縁部２２に食器や調理器具を載置し、例えば、この食器等の洗浄中に、食器等が上縁部２２から辷り、床等に落下して破損することを防止できる。
また、下縁部２３をゴム状体で形成したので、例えば、補助具２を調理台に設置したときに、補助具２と調理台とが辷るのを防止できる。よって、食器や調理器具に力を加えたときに、補助具２が辷り、この力が逃げることがないので、洗浄や調理の作業の効率を向上できる。
【００４９】
なお、本考案は前記実施形態に限定されるものではなく、本考案の目的を達成できる範囲での変形、改良等は本考案に含まれるものである。
【図面の簡単な説明】
【００５０】
【図１】本考案の第１実施形態に係る補助具の斜視図である。
【図２】本考案の第１実施形態に係る補助具の側面図である。
【図３】本考案の第１実施形態に係る補助具を用いて食器を洗浄する手順を説明する図である。
【図４】本考案の第１実施形態の変形例に係る補助具の使用状態を示す斜視図である。
【図５】本考案の第２実施形態に係る補助具の使用状態を示す斜視図である。
【図６】本考案の第３実施形態に係る補助具の使用状態を示す斜視図である。
【図７】本考案の第４実施形態に係る補助具の使用状態を示す斜視図である。
【図８】本考案の第５実施形態に係る補助具の使用状態を示す斜視図である。
【図９】本考案の第６実施形態に係る補助具の断面図である。
【符号の説明】
【００５１】
１、２      補助具
１１、２１  胴体部
１２、２２  上縁部
１３、２３  下縁部
１３１、２３１  切欠部
１１１、２２２  開口部
【図１】
0003126584.tif 000003
【図２】
0003126584.tif 000004
【図３】
0003126584.tif 000005
【図４】
0003126584.tif 000006
【図５】
0003126584.tif 000007
【図６】
0003126584.tif 000008
【図７】
0003126584.tif 000009
【図８】
0003126584.tif 000010
【図９】
0003126584.tif 000011